(57)【要約】【課題】汚水を生じることのない吸い殻の消火を可能とする吸い殻消火装置及びそれを用いた吸い殻回収装置を提供する。【解決手段】吸い殻Ｓを収容する吸い殻回収容器５と、吸い殻回収容器５内に配置されたスクリュー部材23と、スクリュー部材23を回転駆動させて、吸い殻Ｓを吸い殻回収容器５の底面板34に押圧移動させる駆動モータ21を備えたことにより、スクリュー部材23の回転によって吸い殻Ｓを吸い殻回収容器５の底面板34に押圧して、吸い殻Ｓの火をもみ消すという、簡単でしかも水を使用しない構成により、回収された吸い殻Ｓに対して汚水を生じることなく消火することができる。【選択図】  図３
2011068491.tif 000002
【特許請求の範囲】
【請求項１】
吸い殻を収容する容器と、前記容器内に配置された押圧手段と、前記押圧手段を回転駆動させて、前記吸い殻を前記容器の底面に押圧移動させる駆動手段を備えたことを特徴とする吸い殻消火装置。
【請求項２】
前記容器は、前記押圧手段の周囲に配設された中空筒状の案内部材と、前記案内部材の下方に配置され、前記押圧手段の軸芯方向に移動可能に設けた有底筒状の容器本体とを具備したこと特徴とする請求項１記載の吸い殻消火装置。
【請求項３】
前記容器本体を前記押圧手段方向へ付勢する付勢手段を備えたことを特徴とする請求項２記載の吸い殻消火装置。
【請求項４】
前記押圧手段を、スクリュー部材としたことを特徴とする請求項１〜３のいずれか１項に記載の吸い殻消火装置。
【請求項５】
前記押圧手段は、前記駆動手段に連結された回転軸と、
前記回転軸の周方向に配置された押圧体とを備えたことを特徴とする請求項１〜３のいずれか１項に記載の吸い殻消火装置。
【請求項６】
前記押圧体は、前記回転軸と直交する軸周りに回動自在に設けたものとすることを特徴とする請求項５記載の吸い殻消火装置。
【請求項７】
請求項１〜６のいずれか１項に記載の吸い殻消火装置と、複数台のパチンコ台の下縁付近に沿って配置された中空部材と、前記中空部材内に配置され、前記中空部材の一端側に配置された前記容器まで吸い殻を搬送する搬送手段とを備えたことを特徴とするパチンコ台の吸い殻回収装置。
【発明の詳細な説明】
【技術分野】
【０００１】
本発明は、吸い殻の消火装置に関する。
【背景技術】
【０００２】
従来、複数台のパチンコ台が並べて設置された基台の下縁付近に沿って断面略箱状のスクリューシュート(中空部材)を配置し、吸い殻投入部を介してスクリューシュート内に投入された吸い殻を、スクリューシュート内に沿って延びる螺旋状に形成されたスクリュー羽根によって、一端側に設置した吸い殻回収容器まで搬送して、当該吸い殻回収容器で吸い殻を回収する吸い殻回収装置が知られている（例えば、特許文献１参照）。
【先行技術文献】
【特許文献】
【０００３】
【特許文献１】特開平１０−３３８２６号公報
【発明の開示】
【発明が解決しようとする課題】
【０００４】
しかし、従来の吸い殻回収装置では、回収された吸い殻に火が残ったりすると火災の危険性が有る為、吸い殻を吸い殻回収容器に張った水に浸して、吸い殻の消火を行ってきた。吸い殻を浸した水は、吸い殻から有害物質が流れ出た有害物質によって汚水となり、その汚水をそのまま下水道に廃棄した場合、排水処理場の微生物への悪影響も考えられることから、環境衛生上の問題点を有していた。
【０００５】
そこで、本発明は上記問題点を解決して、汚水を生じることのない吸い殻の消火を可能とする吸い殻消火装置及びそれを用いた吸い殻回収装置を提供することを目的とする。
【課題を解決するための手段】
【０００６】
請求項１の発明では、吸い殻を収容する容器と、前記容器内に配置された押圧手段と、前記押圧手段を回転駆動させて、前記吸い殻を前記容器の底面に押圧移動させる駆動手段を備えたことを特徴とする。
【０００７】
請求項２の発明では、前記容器は、前記押圧手段の周囲に配設された中空筒状の案内部材と、前記案内部材の下方に配置され、前記押圧手段の軸芯方向に移動可能に設けた有底筒状の容器本体とを具備したこと特徴とする。
【０００８】
請求項３の発明では、前記容器本体を前記押圧手段方向へ付勢する付勢手段を備えたことを特徴とする。
【０００９】
請求項４の発明では、前記押圧手段を、スクリュー部材としたことを特徴とする。
【００１０】
請求項５の発明では、前記押圧手段は、前記駆動手段に連結された回転軸と、前記回転軸の周方向に配置された押圧体とを備えたことを特徴とする。
【００１１】
請求項６の発明では、前記押圧体は、前記回転軸と直交する軸周りに回動自在に設けたものとすることを特徴とする。
【００１２】
請求項７の発明では、請求項１〜６のいずれか１項に記載の吸い殻消火装置と、複数台のパチンコ台の下縁付近に沿って配置された中空部材と、前記中空部材内に配置され、前記中空部材の一端側に配置された前記容器まで吸い殻を搬送する搬送手段とを備えたことを特徴とする。
【発明の効果】
【００１３】
請求項１の発明によれば、押圧手段の回転によって吸い殻を容器の底面に押圧して、吸い殻の火をもみ消すという、簡単でしかも水を使用しない構成により、回収された吸い殻に対して汚水を生じることなく消火することができる。
【００１４】
請求項２の発明によれば、容器本体を移動させて、側周部と容器本体によって構成される容器の容積を任意に可変させることにより、容器内の吸い殻量の増減に左右されないスクリュー部材による吸い殻の消火が可能となる。
【００１５】
請求項３の発明によれば、底部をスクリュー部材方向へ付勢させることで、スクリュー部材による吸い殻への押し付け力を最適なものとして、スクリュー部材による消火効果を安定させることができる。
【００１６】
請求項４の発明によれば、発塵を抑えて、衛生的に吸い殻を押圧することができる。
【００１７】
請求項５の発明によれば、回転する押圧体によって、吸い殻を均等に押し潰しながら消火していくので、吸い殻の消火効果が安定する。
【００１８】
請求項６の発明によれば、押圧体を容器内の吸い殻上で転動可能とすることにより、回転軸を軸とする回転移動を行う押圧体が吸い殻に引っ掛ることを防ぐことができる。
【００１９】
請求項７の発明によれば、パチンコ台の吸い殻回収装置によって回収された吸い殻を、スクリュー部材の回転によって吸い殻を容器の底面に押圧して、吸い殻の火をもみ消すという、簡単でしかも水を使用しない構成により、回収された吸い殻に対して汚水を生じることなく消火することができる。
【図面の簡単な説明】
【００２０】
【図１】本発明の第１実施例よるパチンコ台の吸い殻回収装置の全体構造を示す縦断面図である。
【図２】同上、ケースの正面図である。
【図３】同上、載置部が上死点に位置した場合のケースの断面図である。
【図４】同上、載置部が下死点に位置した場合のケースの断面図である。
【図５】同上、図２のＡ−Ａ線断面図である。
【図６】同上、図２のＢ−Ｂ線断面図である。
【図７】同上、載置部が下死点に位置した場合において、蓋体を開いた状態のケースの正面図である。
【図８】同上、吸い殻回収容器内で吸い殻が消火される様子を示す断面図である。
【図９】同上、図８において、吸い殻回収容器の容積を増加した状態を示す断面図である。
【図１０】同上、リミットスイッチの構成を示す断面図である。
【図１１】本発明の第２実施例において、載置部が上死点に位置した場合のケースの断面図である。
【図１２】同上、載置部が下死点に位置した場合のケースの断面図である。
【図１３】同上、吸い殻回収容器内で吸い殻が消火される様子を示す断面図である。
【図１４】同上、図13において、吸い殻回収容器の容積を増加した状態を示す断面図である。
【図１５】本発明の第３実施例において、載置部が上死点に位置した場合のケースの断面図である。
【図１６】同上、吸い殻回収容器内で吸い殻が消火される様子を示す斜視図である。
【発明を実施するための最良の形態】
【００２１】
以下、本発明における好ましい実施例について、添付図面を参照しながら説明する。図１に示す１は全体として本発明のパチンコ台の吸い殻回収装置（以下、吸い殻回収装置）を示す。かかる構成の吸い殻回収装置１は、複数台のパチンコ台１Ａが並べて設置され、前方に段部が形成された基台１Ｂに設けられており、下縁付近に沿って配設された中空部材２と、前記中空部材２内に配置され、一端側に吸い殻Ｓを搬送する搬送手段３と、当該基台１Ｂの段部を貫通して搬送手段３に連通する複数の吸い殻投入部４と、この搬送手段３の一端側に設置され、当該搬送手段３によって搬送された吸い殻Ｓを回収する吸い殻回収容器５とを有する。
【００２２】
ここで、搬送手段３は、スクリューコンベアであって、中空部材２の長手方向に沿って当該中空部材２内に搬送用のスクリュー部材７を備えた回動軸８が配置されており、この回動軸８の他端が軸受部９に軸支されているとともに、当該回動軸８の一端側が搬送用の駆動モータ10に接続され、これにより中空部材２内に投下された吸い殻Ｓを一端側へ搬送し得るように構成されている。
【００２３】
搬送手段３の一端側には、前記吸い殻回収容器５を収納するケース11が設けられており、前記ケース11内に、前記搬送手段３の駆動モータ10を操作する操作部12が設置されている。この操作部12は、駆動モータ10と電気的に接続されていると共に、先端に図示しない受電プラグを備えたコード13が接続されている。
【００２４】
ケース11は、図２に示すように、ステンレスなどの金属製の有底筒状の筐体からなるケース本体14と、前記ケース本体14の一面を開閉する蓋体15とからなり、上端に前記駆動モータ10が固定されている。ケース本体14は、一面の側壁が略「門」の字状に開口して形成され、前記吸い殻回収容器５を出し入れ可能な開口部16と、前記蓋体15が当接する当接部17とを備える。  さらに、ケース本体14内部の中段部分には、水平に架設されたステンレスなどの金属製の板体の中央部分に開口部が形成された仕切板18を備えている。
仕切板18の下面の開口部の周縁部分には、Ｌ字型の取り付け金具19を介してステンレスなどの金属製の板体からなる中空円筒状の案内管20が吊設されている。
【００２５】
また、仕切板18の上面中央には消火用の駆動モータ21が固定されており、この駆動モータ21に接続され、仕切板18を貫通して、案内管20の上部開口部分の中心付近まで延設された回転軸22の下方には、案内管20の中心軸と同軸上に回転可能に備えた吸い殻消火用のスクリュー部材23が接続されている。案内管20の略中心部分に配設されたスクリュー部材23は、回転軸22と同軸上に設けられた軸芯部材24と、この軸芯部材24の周囲に案内管20の内径よりわずかに小さく形成された外径を有して螺旋状に形成された螺旋翼25を有しており、螺旋翼25の下端は容器本体31の底面板34と平行に形成されている。
【００２６】
さらに、仕切板18の下面左右両端には、一定の曲率で曲げられた長尺の板ばねをドラムに巻き回して構成された定荷重ばね装置26がブランケット27を介して２個ずつ固定されており、各定荷重ばねの一端は、ケース本体14の両側面部下方の内面にそれぞれ配設された各スライドレール28のスライド体29に固定されている。
【００２７】
各スライド体29は、上下方向に長手方向を有するスライドレール28上を上下動可能に備えたものであり、定荷重ばね装置26の一端に接続されたことにより上向きの付勢力が付勢されている。さらに、この付勢力は、定荷重ばね装置26の長尺の板ばねを直線に引き伸ばしたときに生じる戻り力であるため、スライド体29の上下方向のストローク量にかかわらずに一定に設定されている。
【００２８】
30は、スライド体29,29間に水平に架設され、スライド体29とともに上下動自在に備えたステンレスなどの金属製の板体からなる載置部であり、その上面を容器本体31を載置可能に形成したものである。さらに、この載置部30の上面には、容器本体31の外周形状に沿うように複数の位置決め用の爪片32が立設されており、載置部30上において容器本体31の中心部分が案内管20の軸芯上にくるように位置決め可能に構成されている。
【００２９】
容器本体31は、案内管20の外径より大きな内径を有する中空円筒状体33の一方の開口部を載置部30より小さな面積の半円状に形成されたステンレスなどの金属製の板体からなる底面板34によって閉塞されたものであり、この底面板34の一方を垂直に立ち上げて、その立ち上げ部分に、人間の指が挿通可能な大きさの貫通部として形成された指掛け部35を備えている。
【００３０】
ここで、載置部30は、スライド体29の上下動に伴いケース本体14内を上下動可能に備えられており、載置部30に載置された容器本体31の上端が案内管20の外周上部に設けられたフランジ部20Ａの下端に当接するまで上昇した位置を載置部30の上死点とし、載置部30がケース本体14の底面付近まで下降した位置を載置部30の下死点とし、この下死点において載置部30をケース本体14の底面中央に固定可能とする固定手段36として、ケース本体14の底面中央に固定されたマグネット部材37と、載置部30の下面中央に固定され、マグネット部材37と磁着可能な鉄等の金属製の板体からなるプレート38を備えている。
【００３１】
また、案内管20の下端が、下死点に位置する載置部30上に載置された容器本体31の上端より上方に配設されているため、載置部30が下死点に達した場合に容器本体31をケース本体14から取り出し可能に備えている。
【００３２】
さらに底面板34には、短冊状に形成されたステンレスなどの金属製の板体を、底面板34の中空円筒状体33に囲まれた円形の領域の中心部分から放射方向外向きに配置して溶接等によって固定した凸条部39を備えている。
【００３３】
また、底面板34の下面の一側には、ケース本体14の前面よりも突設された操作杆40を備えており、この操作杆40は、ケース本体14の開口部16傍に形成された長孔41に挿通されており、底面板34の上下動に伴い長孔41内を上下動可能に配置されている。
【００３４】
さらに、ケース本体14上端から案内管20にかけては、中空部材の一端下方に接続された断面半円弧状の樋体を下向きに傾斜して備えた外部接続シュート42と、この外部接続シュート42の下端に接続された断面半円弧状の樋体の下端を下向きに傾斜させて仕切板18の開口部を介して案内管20内部へ挿通された吸い殻受けシュート43を備えている。
【００３５】
前記蓋体15は、ケース本体14と同じステンレスなどの金属製の板部材からなり、ケース本体14に横開き可能に軸支されている。蓋体15は、開口部16の他方に図示しないロック部でケース本体14に当接した状態で係止し、表面に設けられた把手44で開閉される。
【００３６】
前記操作部12は、前記駆動モータ10を逆回転させる逆転スイッチ（図示せず）と、前記蓋体15を開放したときに駆動モータ10,21を停止させ、前記蓋体15を閉塞したときに駆動モータ10,21を起動するリミットスイッチ46と、運転状態を表示するランプ47と、吸い殻回収容器５内の満杯状態を表示して、吸い殻回収容器５内の吸い殻Ｓの排除時期を報知するランプ48とからなる。前記逆転スイッチ（図示せず）は、前記ケース本体14内の前記蓋体15に覆われる位置に設置されている。この逆転スイッチ（図示せず）は、本実施形態では逆転スイッチ（図示せず）を押下したときにオンするスイッチを用い、当接部17の裏側に設けられている。
【００３７】
また、リミットスイッチ46は、図10に示すように、前記当接部17の内側に設置され、スイッチボックス49と、前記スイッチボックス49内に設けられた図示しない接点を開閉する可動片50とからなる。可動片50は、ばね性を有する金属板からなり、開方向に付勢されている。この可動片50は、基端において、前記スイッチボックス49に揺動可能に設けられると共に、前記接点に直結した押下部51と当接している。また、可動片50の先端には、前記蓋体15に当接する作用部52が設けられている。この作用部52は、合成樹脂で形成され、可動片50の先端に回動自在に設けられている。そして、前記可動片50の先端が前記当接部17に設けた挿通孔34から外側、すなわち、蓋体15と当接する側に突出するようにケース本体14に支持されている。尚、このリミットスイッチ31は、接点が開成した状態が原点である。
【００３８】
次に上記構成の作用について説明する。まず、通常運転する場合について説明する。ケース11は蓋体15が閉じた状態であり、リミットスイッチ46は、可動片50の作用部52が蓋体15に押されることによって押下部51が接点を閉成する（図10（Ｂ））。次いで、受電プラグを図示しない屋内コンセントに接続すると、電源が供給される。電源が供給されると、駆動モータ10及び駆動モータ21が回転し、これによって、スクリュー部材７が中空部材２内において回転するとともに、吸い殻回収容器５のスクリュー部材23が回転する。
【００３９】
この状態で吸い殻投入部４を介して中空部材２に投入された吸い殻Ｓは、スクリュー部材７によって押されて中空部材２の一端側まで搬送され、外部接続シュート42、吸い殻受けシュート43を通過して、当該中空部材２の一端下方に設置した吸い殻回収容器５に落下して回収される（図１）。
【００４０】
吸い殻回収容器５に落下した吸い殻Ｓは、容器本体31の底面板34まで落下して、図中、Ｒ方向に回転する螺旋翼25の下向き面によって底面板34に押し付けられながら底面板34上を回転していくと、底面板34に設けた凸条部39で回転移動を止められ、回転してくる螺旋翼25の下向き面の下端と凸条部39との間で押し潰されることによって、吸い殻Ｓの火はもみ消される。
【００４１】
ここで、螺旋翼25の下端が容器本体31の底面板34と平行に形成されたことにより、螺旋翼25の下部と底面板34とに隙間を一定にすることにより螺旋翼25が吸い殻Ｓを底面板34へ押し付ける力が安定し、吸い殻Ｓの消火効果が安定する。
【００４２】
その後、スクリュー部材23と底面板34との間に吸い殻Ｓが堆積していき、スクリュー部材23と底面板34との間の圧力が増大して、載置部30、しいては容器本体31を上昇させようとする上向きの付勢力を上回ると、容器本体31を上向きの付勢力に抗して下降させて、容器本体31と案内管20からなる吸い殻回収容器５の容積を増加させることにより、吸い殻回収容器５内の圧力上昇を回避している。
【００４３】
続いて、吸い殻回収容器５内が満杯状態となった場合の対応について説明すると、載置部30の位置が下死点より上方に在り、しかも吸い殻回収容器５内の吸い殻Ｓの量が所定量に達したところで、容器本体31又は載置部30の上下位置や駆動モータ21のトルク等を検知する検知手段（図示せず）によって吸い殻回収容器５内の満杯状態が検知されると、ランプ48が点灯する。使用者は、ランプ48の点灯を確認して、蓋体15を開けると、リミットスイッチ46によって駆動モータ10及び駆動モータ21は停止するので、操作杆40と掴んで載置部30を下死点まで下降させると、固定手段36によって載置部30が下死点で固定されるので、指掛け部35に指を掛けて容器本体31を載置部30から取り出して、容器本体31内の吸い殻Ｓを廃棄する。その後、空になった容器本体31を載置部30に戻した後、操作杆40を掴んで上向きに引き上げて、固定手段36のマグネット部材37とプレート38の磁着を解除すると、定荷重ばね装置26による上向きの付勢力によって載置部30が上死点まで上昇した後に蓋体15を閉じると、リミットスイッチ46によって駆動モータ10,21が駆動するので、直ちに通常運転を開始することができる。
【００４４】
次に、上記通常運転中に搬送手段３に吸い殻Ｓが詰まった場合に、詰まった吸い殻Ｓを除去するなどの点検時について説明する。点検するには、把手19を把持し、ケース11の蓋体15を開放する（図２）。そうすると、リミットスイッチ46は蓋体15が作用部52から離れることによって、可動片50が開放され押下部51が復帰し接点が開成する（図10（Ａ））。これにより、電源が遮断されるので、駆動モータ10,21が停止する。したがって、直接受電プラグを屋内コンセントから引き抜かなくても、蓋体15を開けることによってのみ駆動モータ10,21を停止するので、安全性を向上することができると共に、利便性を向上できる。
【００４５】
また、この状態で逆転スイッチ（図示せず）を押下し、駆動モータ10を逆回転させる。そうすると、スクリュー部材７が逆回転するので、スクリュー部材７に詰まった吸い殻Ｓを一旦戻すことができる。さらに、逆転スイッチ（図示せず）を復帰させ、作用部52を指で押してリミットスイッチ46を閉成し、駆動モータ10を正回転させることによって、吸い殻Ｓを吸い殻回収容器５に回収することができる。このように、逆転スイッチ（図示せず）及びリミットスイッチ46を操作することによって、搬送装置内に詰まった吸い殻Ｓを取り除くことができる。
【００４６】
また、点検後は蓋体15を閉じることによって、リミットスイッチ46がオンするので、直ちに通常運転を開始することができる。
【００４７】
また、作用部52は合成樹脂製で形成されているので、蓋体15が作用部52に当接するときの蓋体15の傷つきを防止できる。また、作用部52は回動自在に可動片50の先端に設けられているので、部材同士の擦れによる異音が発生するのを防ぐことができる。したがって、スムーズに蓋体15を作用部52に当接し、接点を閉成、及び開成することができる。
【００４８】
以上のように、吸い殻Ｓを収容する吸い殻回収容器５と、吸い殻回収容器５内に配置された押圧手段としてのスクリュー部材23と、スクリュー部材23を回転駆動させて、吸い殻Ｓを吸い殻回収容器５の底面である底面板34に押圧移動させる駆動手段としての駆動モータ21を備えている。
【００４９】
この場合、スクリュー部材23の回転によって吸い殻Ｓを吸い殻回収容器５の底面板34に押圧して、吸い殻Ｓの火をもみ消すという、簡単でしかも水を使用しない構成により、回収された吸い殻Ｓに対して汚水を生じることなく消火することができる。
【００５０】
また、吸い殻回収容器５は、スクリュー部材23の周囲に配設された中空筒状の案内部材としての案内管20と、案内管20の下方に配置され、スクリュー部材23の軸芯方向に移動可能に設けた有底筒状の容器本体31とを具備したことにより、容器本体31を移動させて、案内管20と容器本体31によって構成される吸い殻回収容器５の容積を任意に可変させることにより、吸い殻回収容器５内の吸い殻Ｓの量の増減に左右されないスクリュー部材23による吸い殻Ｓの消火が可能となる。
【００５１】
さらに、容器本体31の底面板34をスクリュー部材23方向へ付勢する付勢手段としての定荷重ばね装置26を備え、底面板34をスクリュー部材23方向へ付勢させることで、スクリュー部材23による吸い殻Ｓへの押し付け力を最適なものとして、スクリュー部材23による消火効果を安定させることができる。
【００５２】
前記押圧手段を、スクリュー部材23としたことにより、発塵を抑えて、衛生的に吸い殻Ｓを押圧することができる。
【００５３】
また、少なくとも吸い殻Ｓを収容する吸い殻回収容器５と、吸い殻回収容器５内に配置されたスクリュー部材23と、スクリュー部材23を回転駆動させて、吸い殻Ｓを吸い殻回収容器５の底面である底面板34に押圧移動させる駆動手段としての駆動モータ21を備えた吸い殻消火装置と、複数台のパチンコ台１Ａの下縁付近に沿って配設された中空部材２と、前記中空部材２内に配置され、該中空部材２の一端側に設置された吸い殻回収容器５まで吸い殻Ｓを搬送する搬送手段３とを備えている。
【００５４】
この場合、パチンコ台１Ａの吸い殻回収装置１によって回収された吸い殻Ｓを、スクリュー部材23の回転によって吸い殻回収容器５の底面板34に押圧して、吸い殻Ｓの火をもみ消すという、簡単でしかも水を使用しない構成により、回収された吸い殻Ｓに対して汚水を生じることなく消火することができる。
【００５５】
さらに実施例上の効果として、複数台のパチンコ台１Ａの下縁付近に沿って配設された中空部材２と、前記中空部材２内に配置され、該中空部材２の一端側に設置された吸い殻回収容器５まで吸い殻Ｓを搬送する搬送手段３とを備え、前記搬送手段３は搬送方向を逆転させる逆転スイッチ（図示せず）を有することとしたから、搬送手段３に吸い殻Ｓが詰まった場合に、搬送手段３の搬送方向を逆転させることによって、容易に吸い殻Ｓを取り除くことができる。
【００５６】
また、前記吸い殻回収容器５が、蓋体15を有するケース11に収納され、前記搬送手段３は蓋体15を開放すると停止し前記蓋体15を閉塞すると起動するリミットスイッチ46を備えるから、蓋体15を開放したときに搬送手段３が停止するので、安全性を向上することができる。
【００５７】
また、前記リミットスイッチ46が前記ケース11と前記蓋体15との当接部17に設けられることとしたから、蓋体15を開いた状態でも、リミットスイッチ46を操作し、搬送手段３を作動させることができるので、より円滑に吸い殻Ｓの詰まりを除去するなどの点検作業を行なうことができる。
【００５８】
また、前記逆転スイッチ（図示せず）が前記蓋体ケース11内の前記蓋体15に覆われる位置に設置されていることとしたから、蓋体15を開くことによって搬送手段３が停止すると共に逆転スイッチ（図示せず）を操作することができるので、操作性を向上することができる。
【００５９】
また、前記搬送手段３はスクリューコンベアであることとしたから、発塵がすくないので、衛生的に吸い殻Ｓを搬送し、回収することができる。
【００６０】
図11乃至図14は、本発明の第２実施例を示し、上記第１実施例と同一部分に同一符号を付し、その詳細な説明を省略して詳述すると、この例では螺旋翼の外周部と案内管20の内周面が溶接等により接合されており、これにより案内管20の内周面とスクリュー部材23との隙間を無くして、案内管20をスクリュー部材23と一体的に回転可能に設けている。
【００６１】
この場合、スクリュー部材23の外周部分と案内管20との隙間を無くすことによって、スクリュー部材23の回転等によって前記隙間に挟まった吸い殻Ｓが案内管20との間で抵抗となりスクリュー部材23の回転の妨げとなることを防いで、スクリュー部材23をスムーズに回転させることで、スクリュー部材23による吸い殻Ｓの消火動作を安定させることができる。
【００６２】
図15乃至図16は、本発明の第３実施例を示し、上記第１実施例と同一部分に同一符号を付し、その詳細な説明を省略して詳述すると、この例では押圧手段として、仕切板18の上面中央には消火用の駆動モータ21が固定されており、この駆動モータ21に接続され、仕切板18を貫通して、案内管20の内部まで延設され、案内管20の中心軸と同軸上に回転可能に備えた回転軸60と、回転軸60の下部に形成された凹部60Ａに回転軸60と直交する水平方向に配置されたシャフト61を備え、このシャフト61にベアリング62を介して回動自在に設けられた押圧体として、回転軸60を介して対称に配置された一対の円筒形状のローラ63,63とを備えている。
【００６３】
吸い殻回収容器５に落下した吸い殻Ｓは、容器本体31の底面板34まで落下して、図中、Ｒ方向に回転するローラ63,63によって底面板34に押し付けられながら底面板34上を回転していくと、底面板34に設けた凸条部39で回転移動を止められ、回転してくるローラ63,63と凸条部39との間で押し潰されることによって、吸い殻Ｓの火はもみ消される。
【００６４】
この一対のローラ63,63が、回転軸60を回転中心とする底面板34の平面と平行な軌道を描きながら回転移動を行うことにより、各ローラ63,63と底面板34との隙間を一定にすることにより、一対のローラ63,63が吸い殻Ｓを底面板34へ押し付ける力が安定し、一対のローラ63,63が吸い殻Ｓを均等に押し潰しながら消火していくので、吸い殻Ｓの消火効果が安定する。
【００６５】
また、ローラ63,63を、回動軸60と直交するシャフト61を軸とする方向に回動自在に設けたことにより、ローラ63,63を容器本体31内の吸い殻Ｓ上において転動可能とすることにより、回転軸60を軸とする回転移動を行うローラ63,63が吸い殻Ｓに引っ掛ることを防いで、吸い殻Ｓの消火効果がさらに安定する。
【００６６】
その後、ローラ63,63と底面板34との間に吸い殻Ｓが堆積していき、ローラ63,63と底面板34との間の圧力が増大して、載置部30、しいては容器本体31を上昇させようとする上向きの付勢力を上回ると、容器本体31を上向きの付勢力に抗して下降させて、容器本体31と案内管20からなる吸い殻回収容器５の容積を増加させることにより、吸い殻回収容器５内の圧力上昇を回避している。
【００６７】
以上のように、吸い殻Ｓを収容する吸い殻回収容器５と、吸い殻回収容器５内に配置された押圧手段としての回転軸60及び一対のローラ63,63と、回転軸60を回転駆動させて、吸い殻Ｓを吸い殻回収容器５の底面である底面板34に押圧移動させる駆動手段としての駆動モータ21を備えている。
【００６８】
この場合、一対のローラ63,63の回転によって吸い殻Ｓを吸い殻回収容器５の底面板34に押圧して、吸い殻Ｓの火をもみ消すという、簡単でしかも水を使用しない構成により、回収された吸い殻Ｓに対して汚水を生じることなく消火することができる。
【００６９】
また、押圧手段は、駆動手段である駆動モータ21に連結された回転軸60と、回転軸60の周方向に配置された押圧体である一対のローラ63,63とを備えたことにより、回転するローラ63,63によって、吸い殻Ｓを均等に押し潰しながら消火していくので、吸い殻Ｓの消火効果が安定する。
【００７０】
さらに、一対のローラ63,63は、回転軸60と直交する軸であるシャフト61周りに回動自在に設けたものとすることで、ローラ63,63を容器内の吸い殻Ｓ上において転動可能とすることにより、回転軸60を軸とする回転移動を行うローラ63,63が吸い殻Ｓに引っ掛ることを防いで、吸い殻Ｓの消火効果をさらに安定させることができる。
【００７１】
本発明は、本実施形態に限定されるものではなく、本発明の要旨の範囲内で種々の変形実施が可能である。例えば、搬送手段はスクリュー部材によるものを例示したが、本発明はこれに限らず、ベルト部材によるものでもよい。また、付勢手段についても、定荷重ばね装置に限らず、載置部とケース本体の底面に備えたコイルスプリング等の弾性部材によって、載置部に上向きの付勢力を付勢する構造としてもよい。また、圧送手段についても、スクリュー部材23の構造に限らず、プロペラ状の回転羽根を備えたものでもよい。さらに、スクリュー部材23を逆回転させる機構を備えたものとしてもよく、その場合、吸い殻回収容器５に詰まった吸い殻の除去が行いやすくなる。また、固定手段も、磁石式に限らず、ケース本体及び載置部のいずれか一方に備えたフックを、他方に備えた止め具に係止する構造としてもよい。さらに、回転軸60に備えたローラ63の個数も適宜変更可能とする。
【符号の説明】
【００７２】
１  吸い殻回収装置
１Ａ  パチンコ台
２  中空部材
３  搬送手段
５  吸い殻回収容器
20  案内管（案内部材）
21  駆動モータ（駆動手段）
23  スクリュー部材（押圧手段）
26  定荷重ばね装置（付勢手段）
31  容器本体
60  回転軸（押圧手段）
63  ローラ（押圧体）
Ｓ  吸い殻
【図１】
2011068491.tif 000003
【図２】
2011068491.tif 000004
【図３】
2011068491.tif 000005
【図４】
2011068491.tif 000006
【図５】
2011068491.tif 000007
【図６】
2011068491.tif 000008
【図７】
2011068491.tif 000009
【図８】
2011068491.tif 000010
【図９】
2011068491.tif 000011
【図１０】
2011068491.tif 000012
【図１１】
2011068491.tif 000013
【図１２】
2011068491.tif 000014
【図１３】
2011068491.tif 000015
【図１４】
2011068491.tif 000016
【図１５】
2011068491.tif 000017
【図１６】
2011068491.tif 000018